(57)【要約】【課題】ＩＰ方式を採用して伝送される放送コンテンツを受信処理する。【解決手段】放送局からは、ＳＳＣ内で、そのヘッダー拡張部分にサービス識別情報及びＳＤＰを配置したＳＤＰＴを伝送する。受信側では、受信するトランスポート・ストリームに対してセクション・フィルタリング処理を行なうことにより、シグナリング情報ＳＳＣから高速且つ容易に所望のＳＤＰＴを取得することが可能になる。そして、取得したＳＤＰＴのヘッダー拡張部分に格納されたＳＤＰ内に記述されているＩＰアドレス及びポート番号に基づいて所望のチャンネルのストリームに高速にアクセスすることができる。【選択図】  図１
2015073197.tif 000002
【特許請求の範囲】
【請求項１】
トランスポート層にＩＰ（Ｉｎｔｅｒｎｅｔ  Ｐｒｏｔｏｃｏｌ）方式を適用し、トランスポート・ストリームで送るＳＳＣ（Ｓｅｒｖｉｃｅ  Ｓｉｇｎａｌｉｎｇ  Ｃｈａｎｎｅｌ）にＳＤＰ（Ｓｅｒｖｉｃｅ  Ｄｅｓｃｒｉｐｔｉｏｎ  Ｐｒｏｔｏｃｏｌ）のテーブル（ＳＤＰＴ）を配置した放送信号を送信する、
送信装置。
【請求項２】
ＳＤＰＴをセクション形式で表記し、そのヘッダー拡張部分にサービス識別情報及びＳＤＰを配置する、
請求項１に記載の送信装置。
【請求項３】
ＳＤＰＴに配置するＳＤＰに、サービス識別情報に対応する放送チャンネルの各コンポーネントのＩＰアドレス、ポート番号、コンポーネントの属性情報を含める、
請求項１に記載の送信装置。
【請求項４】
ＥＳＧ（Ｅｌｅｃｔｒｏｎｉｃ  Ｓｅｒｖｉｃｅ  Ｇｕｉｄｅ）を用いて放送の番組表若しくは番組情報の表示形式を送信する、
請求項１に記載の送信装置。
【請求項５】
ＥＳＧ内部にＳＤＰのＵＲＩを記述するとともに、ＳＳＣとして伝送するＳＤＰＴにもＳＤＰのＵＲＩを記述する、
請求項４に記載の送信装置。
【請求項６】
受信側が初期スキャンで取得するシグナリング内にＥＳＧのブートストラップを記述する、
請求項１に記載の送信装置。
【請求項７】
トランスポート層にＩＰ方式を適用し、トランスポート・ストリームで送るＳＳＣにＳＤＰＴを配置した放送信号を送信する、
送信方法。
【請求項８】
トランスポート層にＩＰ方式を適用した放送信号を受信する受信装置であって、
放送信号に含まれる制御信号を処理する制御信号処理部と、
放送番組の各コンポーネントのストリームを処理するストリーム処理部と、
を具備し、
前記制御信号処理部は、受信するトランスポート・ストリームに対してセクション・フィルタリング処理を行なって、ＳＳＣから所望のＳＤＰＴを取得し、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理する、
受信装置。
【請求項９】
放送信号の低レイヤーの処理を行なう低レイヤー制御信号処理部と、データを記録する記録部をさらに備え、
前記低レイヤー制御信号処理部は、初期スキャンして、ＥＳＧのブートストラップを含むシグナリングを取得して前記記録部に記録する、
請求項８に記載の受信装置。
【請求項１０】
ＥＳＧを処理するＥＳＧ処理部をさらに備え、
ＥＳＧの表示を行なう際に、前記制御信号処理部は、前記記録部に記録されたシグナリングからＥＳＧのブートストラップを取得し、前記ＥＳＧ処理部はブートストラップに基づいてＥＳＧのファイルを取得する、
請求項９に記載の受信装置。
【請求項１１】
前記制御信号処理部は、ＥＳＧからＳＤＰを参照する場合に、ＥＳＧ内部に記述されたＳＤＰのＵＲＩに基づいてＳＳＣ中から該当するＳＤＰＴを特定し、そのＳＤＰＴ内からＳＤＰを取得する、
請求項１０に記載の受信装置。
【請求項１２】
トランスポート層にＩＰ方式を適用した放送信号を受信する受信方法であって、
受信するトランスポート・ストリームに対してセクション・フィルタリング処理を行なって、ＳＳＣから所望のＳＤＰＴを取得するステップ、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理するステップと、
を有する受信方法。
【請求項１３】
トランスポート層にＩＰ方式を適用した放送信号を受信する受信装置としてコンピューターを機能させるようにコンピューター可読形式で記述されたコンピューター・プログラムであって、前記コンピューターを
放送信号に含まれる制御信号を処理する制御信号処理部、
放送番組の各コンポーネントのストリームを処理するストリーム処理部、
として機能させ、
前記制御信号処理部は、受信するトランスポート・ストリームに対してセクション・フィルタリング処理を行なって、ＳＳＣから所望のＳＤＰＴを取得し、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理する、
コンピューター・プログラム。
【発明の詳細な説明】
【技術分野】
【０００１】
本明細書で開示する技術は、トランスポート層にＩＰ方式を採用して放送コンテンツを送信する送信装置及び送信方法、トランスポート層にＩＰ方式を採用して伝送される放送コンテンツを受信する受信装置及び受信方法、並びにコンピューター・プログラムに関する。
【背景技術】
【０００２】
地上ディジタル・テレビ放送規格として、欧州で開発されたＤＶＢ（Ｄｉｇｉｔａｌ  Ｖｉｄｅｏ  Ｂｒｏａｄｃａｓｔｉｎｇ）や、米国で開発されたＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）、日本で開発されたＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）などが挙げられる。
【０００３】
現在のディジタル・テレビ放送規格の多くは、トランスポート層にＭＰＥＧ（Ｍｏｖｉｎｇ  Ｐｉｃｔｕｒｅ  Ｅｘｐｅｒｔｓ  Ｇｒｏｕｐ）２−ＴＳ（Ｔｒａｎｓｐｏｒｔ  Ｓｔｒｅａｍ）を採用している。近年では、放送と通信の融合、伝送効率の向上などを目指して、ＭＰＥＧ２−ＴＳ方式からＩＰ（Ｉｎｔｅｒｎｅｔ  Ｐｒｏｔｏｃｏｌ）方式に変更することが検討されている。
【０００４】
例えば、高度衛星ディジタル放送システムにおいて、放送伝送路を介して配信されるファイルを所定サイズのデータ・ユニットに分割して放送用ＩＰパケットとして伝送する際に、当該ファイル中のデータ・ユニットを補完するためにデータ補完サーバーが通信回線で伝送する補完用ＩＰパケットのデータ部に格納されるデータ・サイズより大きく且つそのサイズに所定の整数値を乗じた規定サイズのデータ・ユニットに分割してパケット化し、そのヘッダー部にデータ・ユニットを特定するダウンロード・ヘッダーを含む放送用ＩＰパケットを生成する放送用パケット生成装置について提案がなされている（例えば、特許文献１を参照のこと）。
【０００５】
また、映像信号等を符号化し、ＩＰパケットに格納して伝送する際に、受信装置におけるデコーダーのクロックを、送信装置におけるエンコーダーのクロックに同期させる伝送システムについて提案がなされている（例えば、特許文献２を参照のこと）。
【発明の概要】
【発明が解決しようとする課題】
【０００６】
本明細書で開示する技術の目的は、トランスポート層にＩＰ方式を採用して放送コンテンツを好適に送信することができる優れた送信装置及び送信方法、トランスポート層にＩＰ方式を採用して伝送される放送コンテンツを好適に受信処理することができる優れた受信装置及び受信方法、並びにコンピューター・プログラムを提供することにある。
【課題を解決するための手段】
【０００７】
本願は、上記課題を参酌してなされたものであり、請求項１に記載の技術は、
トランスポート層にＩＰ（Ｉｎｔｅｒｎｅｔ  Ｐｒｏｔｏｃｏｌ）方式を適用し、トランスポート・ストリームで送るＳＳＣ（Ｓｅｒｖｉｃｅ  Ｓｉｇｎａｌｉｎｇ  Ｃｈａｎｎｅｌ）にＳＤＰ（Ｓｅｒｖｉｃｅ  Ｄｅｓｃｒｉｐｔｉｏｎ  Ｐｒｏｔｏｃｏｌ）のテーブル（ＳＤＰＴ）を配置した放送信号を送信する、
送信装置である。
【０００８】
本願の請求項２に記載の技術によれば、請求項１に記載の送信装置は、ＳＤＰＴをセクション形式で表記し、そのヘッダー拡張部分にサービス識別情報及びＳＤＰを配置するように構成されている。
【０００９】
本願の請求項３に記載の技術によれば、請求項１に記載の送信装置は、ＳＤＰＴに配置するＳＤＰに、サービス識別情報に対応する放送チャンネルの各コンポーネントのＩＰアドレス、ポート番号、コンポーネントの属性情報を含めるように構成されている。
【００１０】
本願の請求項４に記載の技術によれば、請求項１に記載の送信装置は、ＥＳＧ（Ｅｌｅｃｔｒｏｎｉｃ  Ｓｅｒｖｉｃｅ  Ｇｕｉｄｅ）を用いて放送の番組表若しくは番組情報の表示形式を送信するように構成されている。
【００１１】
本願の請求項５に記載の技術によれば、請求項４に記載の送信装置は、ＥＳＧ内部にＳＤＰのＵＲＩを記述するとともに、ＳＳＣとして伝送するＳＤＰＴにもＳＤＰのＵＲＩを記述するように構成されている。
【００１２】
本願の請求項６に記載の技術によれば、請求項１に記載の送信装置は、受信側が初期スキャンで取得するシグナリング内にＥＳＧのブートストラップを記述するように構成されている。
【００１３】
また、本願の請求項７に記載の技術は、
トランスポート層にＩＰ方式を適用し、トランスポート・ストリームで送るＳＳＣにＳＤＰＴを配置した放送信号を送信する、
送信方法である。
【００１４】
また、本願の請求項８に記載の技術は、トランスポート層にＩＰ方式を適用した放送信号を受信する受信装置であって、
放送信号に含まれる制御信号を処理する制御信号処理部と、
放送番組の各コンポーネントのストリームを処理するストリーム処理部と、
を具備し、
前記制御信号処理部は、受信するトランスポート・ストリームに対してセクション・フィルタリング処理を行なって、ＳＳＣから所望のＳＤＰＴを取得し、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理する、
受信装置である。
【００１５】
本願の請求項９に記載の技術によれば、請求項８に記載の受信装置は、放送信号の低レイヤーの処理を行なう低レイヤー制御信号処理部と、データを記録する記録部をさらに備えている。そして、前記低レイヤー制御信号処理部は、初期スキャンして、ＥＳＧのブートストラップを含むシグナリングを取得して前記記録部に記録するように構成されている。
【００１６】
本願の請求項１０に記載の技術によれば、請求項９に記載の受信装置は、ＥＳＧを処理するＥＳＧ処理部をさらに備えている。そして、ＥＳＧの表示を行なう際に、前記制御信号処理部は、前記記録部に記録されたシグナリングからＥＳＧのブートストラップを取得し、前記ＥＳＧ処理部はブートストラップに基づいてＥＳＧのファイルを取得するように構成されている。
【００１７】
本願の請求項１１に記載の技術によれば、請求項１０に記載の受信装置の前記制御信号処理部は、ＥＳＧからＳＤＰを参照する場合に、ＥＳＧ内部に記述されたＳＤＰのＵＲＩに基づいてＳＳＣ中から該当するＳＤＰＴを特定し、そのＳＤＰＴ内からＳＤＰを取得するように構成されている。
【００１８】
また、本願の請求項１２に記載の技術は、
トランスポート層にＩＰ方式を適用した放送信号を受信する受信方法であって、
受信するトランスポート・ストリームに対してセクション・フィルタリング処理を行なって、ＳＳＣから所望のＳＤＰＴを取得するステップ、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理するステップと、
を有する受信方法である。
【００１９】
また、本願の請求項１３に記載の技術は、トランスポート層にＩＰ方式を適用した放送信号を受信する受信装置としてコンピューターを機能させるようにコンピューター可読形式で記述されたコンピューター・プログラムであって、前記コンピューターを
放送信号に含まれる制御信号を処理する制御信号処理部、
放送番組の各コンポーネントのストリームを処理するストリーム処理部、
として機能させ、
前記制御信号処理部は、受信するトランスポート・ストリームに対してセクション・フィルタリング処理を行なって、ＳＳＣから所望のＳＤＰＴを取得し、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理する、
コンピューター・プログラムである。
【００２０】
本願の請求項１３に係るコンピューター・プログラムは、コンピューター上で所定の処理を実現するようにコンピューター可読形式で記述されたコンピューター・プログラムを定義したものである。換言すれば、本願の請求項１３に係るコンピューター・プログラムをコンピューターにインストールすることによって、コンピューター上では協働的作用が発揮され、本願の請求項８に係る受信装置と同様の作用効果を得ることができる。
【発明の効果】
【００２１】
本明細書で開示する技術によれば、トランスポート層にＩＰ方式を採用して放送コンテンツを好適に送信することができる優れた送信装置及び送信方法、トランスポート層にＩＰ方式を採用して伝送される放送コンテンツを好適に受信処理することができる優れた受信装置及び受信方法、並びにコンピューター・プログラムを提供することができる。
【００２２】
なお、本明細書に記載された効果は、あくまでも例示であり、本発明の効果はこれに限定されるものではない。また、本発明が、上記の効果以外に、さらに付加的な効果を奏する場合もある。
【００２３】
本明細書で開示する技術のさらに他の目的、特徴や利点は、後述する実施形態や添付する図面に基づくより詳細な説明によって明らかになるであろう。
【図面の簡単な説明】
【００２４】
【図１】図１は、本明細書で開示する技術を適用することができるディジタル放送システム１の構成例を模式的に示した図である。
【図２】図２は、図１に示したディジタル放送システム１において放送信号の伝送に適用されるプロトコル・スタックを例示した図である。
【図３】図３は、受信装置３００の構成例を示した図である。
【図４】図４は、受信装置３００が初期スキャンを行なう仕組みを模式的に示した図である。
【図５】図５は、ＮＶＲＡＭ３１３にネットワーク情報、トランスポート・ストリーム情報、チャンネル情報が記録されているイメージを示した図である。
【図６】図６は、受信装置３００が初期スキャンを行なう処理手順を示したフローチャートである。
【図７】図７は、シグナリング２１１内に格納される、ＥＳＧのブートストラップの記述子の構文構造を示した図である
【図８】図８は、ＳＳＣに配置されるＳＤＰＴの構造を模式的に示した図である。
【図９】図９は、リモコンなどの選局操作に応じてダイレクト選局する仕組みを示した図である。
【図１０】図１０は、受信装置３００がダイレクト選局するための処理手順を示したフローチャート図である。
【図１１】図１１は、受信装置３００がダイレクト選局する際の内部のシグナリングのフロー、並びに、ストリーム／データのフローを示した図である。
【図１２】図１２は、受信装置３００においてＥＳＧからチャンネル選局する仕組みを示した図である。
【図１３】図１３は、受信装置３００がＥＳＧからチャンネル選局するための処理手順を示したフローチャート図である。
【図１４】図１４は、受信装置３００がＥＳＧからチャンネル選局する際の内部のシグナリングのフロー、並びに、ストリーム／データのフローを示した図である。
【図１５】図１５は、ＳＤＰＴの構文例を示した図である。
【図１６】図１６は、ＳＤＰの位置例を示した図である。
【発明を実施するための形態】
【００２５】
以下、図面を参照しながら本明細書で開示する技術の実施形態について詳細に説明する。
【００２６】
Ａ．システム構成
図１には、本明細書で開示する技術を適用することができるディジタル放送システム１００の構成例を模式的に示している。図示のディジタル放送システム１００では、地上波又は衛星波を用いたテレビ受像機１３０向けのディジタル・テレビ放送サービス１１０と、携帯電話１４０などの携帯端末向け放送サービス１２０が行なわれている。携帯端末向け放送信号１２１は、ディジタル・テレビ放送信号１１１に重畳して送信されることもある。放送信号には、映像ストリームや音声ストリーム、字幕ストリームなどの番組本体を構成するコンポーネントや、番組情報やその他の各種のデータ放送用データが含まれている。本実施形態に係るディジタル放送システム１００は、トランスポート層にＩＰ方式を採用するものとする。
【００２７】
テレビ受信機１３０は、例えば屋外に設置された放送受信アンテナ（図示しない）に到来したディジタル・テレビ用放送信号１１１をチューナー（図示しない）で選局受信すると、放送番組を画面に表示したりハード・ディスクなどの記録装置１３１に蓄積したりする。また、携帯電話１４０は、携帯端末向け放送信号１２１を選局受信すると、携帯端末向け放送番組を画面に表示したり内蔵メモリー（図示しない）に記録したりする。
【００２８】
映像ストリームや音声ストリーム、字幕ストリームなどの番組の各コンポーネントは、放送信号１１１、１２１として配信される以外に、ストリーミング・サーバー１５０からインターネット１７０などのＩＰネットワーク経由で提供されることもある。また、番組情報やその他の各種のデータ放送コンテンツは、例えばＨＴＭＬ（Ｈｙｐｅｒ  Ｔｅｘｔ  Ｍａｒｋｕｐ  Ｌａｎｇｕａｇｅ）若しくはＸＭＬ（ｅＸｔｅｎｓｉｂｌｅ  Ｍａｒｋｕｐ  Ｌａｎｇｕａｇｅ）形式で記述されたアプリケーションとして、アプリケーション・サーバー１６０からインターネット１７０経由でテレビ受像機１３０や携帯電話１４０に提供されることもある。
【００２９】
テレビ受像機１３０は、家庭内などに敷設されたＬＡＮ（Ｌｏｃａｌ  Ａｒｅａ  Ｎｅｔｗｏｒｋ）１８０に接続されており、エッジ・ルーター１８１並びにＯＮＵ（Ｏｐｔｉｃａｌ  Ｎｅｔｗｏｒｋ  Ｕｎｉｔ）などの回線終端装置１８２を介して、インターネット１７０上のストリーミング・サーバー１５０並びにアプリケーション・サーバー１６０から、所望する番組のコンポーネントやデータ放送コンテンツを取得することができる。トランスポート層にＩＰ方式を採用する場合、ＩＰアドレス及びポート番号を指定して、トランスポート・ストリームから所望のコンポーネントを引き出すことができる。
【００３０】
データ放送コンテンツに含まれる主要な情報の１つとして番組情報を挙げることができる。本出願時におけるディジタル・テレビ放送サービスの番組情報としては、ＥＰＧ（Ｅｌｅｃｔｒｏｎｉｃ  Ｐｒｏｇｒａｍ  Ｇｕｉｄｅ：電子番組ガイド）が一般的である。ＥＰＧは、番組表の表示や、各番組の詳細情報の表示、選局時の番組タイトル表示、ジャンルや番組タイトル、出演者をキーワードとする番組検索などの機能を備えている。しかしながら、ＥＰＧは、家庭内などに据え置かれる固定ＴＶを主なターゲットとしており、スマートフォンやその他のモバイル端末など、画面サイズや画面縦横比、処理機能が相違する機器に対して統一的にサービスを提供するには適切でないという問題が懸念される。
【００３１】
そこで、本実施形態では、ＩＰ方式で提供されるディジタル・テレビ放送の番組表若しくは番組情報の表示形式として、ＥＰＧに代えて、ＥＳＧ（Ｅｌｅｃｔｒｏｎｉｃ  Ｓｅｒｖｉｃｅ  Ｇｕｉｄｅ：電子サービス・ガイド）を採用するようにしている。ＥＳＧを用いることにより、画面サイズや処理性能の異なるさまざまな機器に対して、一元的に番組情報を提供し表示することができる。その理由として、ＥＳＧの構造が、統一されたＸＭＬフォーマットであること(使用されるタグを含む)、記述できる情報が、放送サービスに合わせて定義されており、それらの要素をサービスに合わせて選択できること（例えば、サービス（チャンネル）情報、番組情報、番組詳細情報、番組の取得先情報、有料番組であれば購入に関する情報、など）、などが挙げられる。
【００３２】
なお、ＥＳＧの代表的な仕様として、オープン・モバイル・アライアンス・モバイル放送サービス・イネーブラー・スイート（Ｏｐｅｎ  Ｍｏｂｉｌｅ  Ａｌｌｉａｎｃｅ  Ｍｏｂｉｌｅ  Ｂｒｏａｄｃａｓｔ  Ｓｅｒｖｉｃｅｓ  Ｅｎａｂｌｅｒ  Ｓｕｉｔｅ（ＯＭＡ  ＢＣＡＳＴ））がある。
【００３３】
ＥＳＧは、ＳＤＰ（Ｓｅｒｖｉｃｅ  Ｄｅｓｃｒｉｐｔｉｏｎ  Ｐｒｏｔｏｃｏｌ）やＩＰアドレスといった放送サービスに対するアクセス方法情報を含み、チャンネル選局の処理機能を備えることができる。例えば、ＳＤＰは、Ｓｅｓｓｉｏｎ  Ａｎｎｏｕｎｃｅｍｅｎｔなどの形式を持つマルチメディア・セッションの開始という目的で、マルチメディア・セッションを記述するプロトコルであり（ＲＦＣ  ２３２７を参照のこと）、そこからチャンネルの選局処理を行なうことができる。ところが、リモコンの数字ボタンからチャンネルを直接選局する操作（ダイレクト選局）が行なわれた際に、上記のようなＥＳＧの選局機能を用いると、ＥＳＧの処理を行なうために、選局が完了するまでの時間がかかるという問題がある。
【００３４】
そこで、本実施形態では、放送局など送信側からトランスポート・ストリームで送るシグナリング情報（Ｓｅｒｖｉｃｅ  Ｓｉｇｎａｌｉｎｇ  Ｃｈａｎｎｅｌ：ＳＳＣ）内に、ＳＤＰのテーブルすなわちＳＤＰＴを配置するようにしている。ここで言うＳＤＰＴは、バイナリーのセクション形式で表記し、そのヘッダー拡張部分にサービス識別情報及びＳＤＰを配置する。サービス識別情報は放送番組のチャンネルと一意に対応する。また、ＳＤＰは、サービス識別情報に対応する放送チャンネルの各コンポーネント（映像ストリーム、音声ストリームなど）のＩＰアドレス、ポート番号、コンポーネントの属性情報などを含む。
【００３５】
このような場合、テレビ受像機１３０や携帯電話１４０などのディジタル放送サービスの受信側では、受信するトランスポート・ストリームに対してセクション・フィルタリング処理を行なうことにより、シグナリング情報ＳＳＣから高速且つ容易に所望のＳＤＰＴを取得することが可能になる。そして、取得したＳＤＰＴのヘッダー拡張部分に格納されたＳＤＰ内に記述されているＩＰアドレス及びポート番号に基づいて所望のチャンネルのストリームにアクセスすることで、高速に選局処理することができる。
【００３６】
要するに、受信側では、トランスポート・ストリーム内でシグナリング情報ＳＳＣを伝送する固定ＩＰアドレスにアクセスし、固定オフセット値のヘッダー拡張部分にあるサービス識別情報（Ｓｅｒｖｉｃｅ  ＩＤ）を用いてフィルタリングを行なうことにより、所望のＳＤＰＴのみを得ることができる。
【００３７】
上述したように、シグナリング情報ＳＳＣとして配置したＳＤＰＴを介して選局する方法は、ＥＳＧからＳＤＰを取得して選局する方法と比べて、高速に選局情報を取得することが可能である。また、シグナリング情報から所望のＳＤＰＴをフィルタリングすることが容易であり、受信側での処理の負担の軽減を見込める。なお、ダイレクト選局処理の詳細については後述に譲る。
【００３８】
また、トランスポート・ストリームで送るシグナリング情報ＳＳＣ内にＳＤＰＴを配置する方法は、従来のテレビ受信機アーキテクチャーとも親和性が高い。したがって、過去の資産を流用できることから、実装の負担が軽減される。
【００３９】
ＥＳＧは、その内部にＳＤＰを配置することにより、ＥＳＧから番組を選局することが可能である（前述）。ところが、上述したように、トランスポート・ストリーム内でシグナリング情報ＳＳＣとしてＳＤＰＴが伝送される場合、ＥＳＧ内のＳＤＰと二重メンテナンスを行なう必要がある。また、ＥＳＧ内部のＳＤＰとシグナリング情報ＳＳＣとして伝送するＳＤＰＴ内のＳＤＰとの間でバージョンが異なる不整合が生じる可能性があるという問題がある。
【００４０】
そこで、本実施形態では、ＥＳＧ内部のＳＤＰには、ＳＤＰ自体ではなく、ＳＤＰのＵＲＩ（Ｕｎｉｆｏｒｍ  Ｒｅｓｏｕｒｃｅ  Ｉｄｅｎｔｉｆｉｅｒ）を記述するようにしている。また、シグナリング情報ＳＳＣとして伝送するＳＤＰＴにも同様に、ＳＤＰのＵＲＩを記述するようにしている。したがって、受信装置において、ＥＳＧからＳＤＰを参照する場合（例えば、ＥＳＧの番組表から選局操作する場合）、選局されたチャンネルに対応するサービス識別情報とＥＳＧ内のＳＤＰのＵＲＩを基に、シグナリング情報ＳＳＣ中から該当するＳＤＰＴを特定することによって、該当するＳＤＰを取得する。このような方法によれば、ＥＳＧ中にＳＤＰを記載する必要がなくなり、二重メンテナンスが不要になるとともに、ＳＤＰＴとＳＤＰとの不整合を防ぐことができる。また、ＳＤＰをＵＲＩで表記することにより、インターネット上のサーバーなどを指定することも可能となるので、サービスの運用の幅が拡がる。なお、ＥＳＧの番組表から選局操作する処理手順の詳細については後述に譲る。
【００４１】
また、受信側でＥＳＧの表示を行なうには、一般的に、放送信号からＥＳＧのブートストラップを発見してＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｓｐｏｒｔ  ｐｒｏｔｏｃｏｌ）セッションのＩＰアドレスを確認し、ブートストラップ・セッションでＥＳＧプロバイダー・ディスカバリー・ディスクリプター（Ｐｒｏｖｉｄｅｒ  Ｄｉｓｃｏｖｅｒｙ  Ｄｅｓｃｒｉｐｔｏｒ）又はＥＳＧアクセス・ディスクリプター（Ａｃｃｅｓｓ  Ｄｅｓｃｒｉｐｔｏｒ）から伝送されるＥＳＧの基本情報を取得して、ＥＳＧを選択するなど、複雑な手順が必要であり、処理に時間がかかる。
【００４２】
そこで、本実施形態では、受信側が初期スキャンで取得するシグナリング内でＥＳＧのブートストラップを記述するようにしている。また、受信装置は、初期スキャン時にシグナリングから取得したブートストラップを、ＮＶＲＡＭ（Ｎｏｎ  Ｖｏｌａｔｉｌｅ  ＲＡＭ）のような装置内の不揮発性メモリーに保存しておくようにする。このようにすれば、受信装置においてＥＳＧ表示のリクエストが行なわれた際には、その都度ブートストラップを放送信号から取得するのではなく、ＮＶＲＡＭからロードすればよいので、ＥＳＧを高速で表示することができる。
【００４３】
図２には、本実施形態に係るディジタル放送システム１００において、放送信号の伝送に適用されるプロトコル・スタックを例示している。
【００４４】
物理層２０１のパケット構造を用いて、シグナリング２１１及びデータリンク層２１２のパケットが伝送される。受信側では、初期スキャン時にシグナリング２１１に格納された情報を取得する。
【００４５】
また、図示の例では、トランスポート層にＩＰ方式を採用している。ＩＰ層２２１上のパケット（ＩＰパケット）の伝送方式は、コネクション・レスの通信プロトコルであるＵＤＰ（Ｕｓｅｒ  Ｄａｔａｇｒａｍ  Ｐｒｏｔｏｃｏｌ）層２３１により規定される。
【００４６】
トランスポート・ストリームは、シグナリング情報を伝送するＳＳＣ（Ｓｅｒｖｉｃｅ  Ｓｉｇｎａｌｉｎｇ  Ｃｈａｎｎｅｌ）、蓄積型ファイル伝送プロトコルであるＦＬＵＴＥ、リアルタイム系のＲＴＰ（Ｒｅａｌ−ｔｉｍｅ  Ｔｒａｎｓｐｏｒｔ  Ｐｒｏｔｏｃｏｌ）並びにＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）の各セッション２４１〜２４３を含んでいる。
【００４７】
本実施形態では、ＳＳＣ２４１内にＳＤＰのテーブルすなわちＳＤＰＴを配置するようにしているが、詳細は後述に譲る。また、ＦＬＵＴＥ層２４２のセッション上では、ＥＳＧデータ２５１やＮＲＴ（ノンリアルタイム系）データ２５２などの複数のファイルが伝送される。本実施形態では、ＥＳＧデータ２５１のＳＤＰには、ＳＤＰ自体ではなくＳＤＰのＵＲＩが記述されるが、詳細は後述に譲る。各ファイルを伝送するＦＬＵＴＥ層のセッションは、ＩＰアドレスとポート番号によって指定可能である。また、ＲＴＰ／ＲＴＣＰセッション２４３上では、Ｖ（ビデオ）、Ａ（音声）、ＣＣ（Ｃｌｏｓｅｄ  Ｃａｐｔｉｏｎ（字幕など））などの放送番組本体のコンポーネントのストリームが伝送される。
【００４８】
ＦＣＣ（Ｆｅｄｅｒａｌ  Ｃｏｍｍｕｎｉｃａｔｉｏｎｓ  Ｃｏｍｍｉｓｓｉｏｎ）などの放送通信事業の規制監督機関は、各放送局に、所定の周波数幅からなる放送周波数帯（物理チャンネル）をそれぞれ割り当てる。図２に示すようなプロトコル・スタック構造は、放送周波数帯（物理チャンネル）毎に存在するものと理解されたい。
【００４９】
図３には、図２に示したプロトコル・スタックからなる放送信号を受信する受信装置３００の構成例を示している。受信装置３００は、テレビ受信機１３０や携帯電話１４０に相当する。受信装置３００は、リモコンなどによって操作されるが、リモコン操作機能については図示を省略した。
【００５０】
放送チューナー３０１は、放送受信アンテナ（図示しない）に到来したディジタル・テレビ放送信号１１１又は携帯端末向け放送信号１２１を選局受信する。また、通信インターフェース（Ｉ／Ｆ）３０２は、インターネット１７０並びにＬＡＮ１８０経由でストリーミング・サーバー１５０やアプリケーション・サーバー１６０からの通信信号を受信して、物理層並びにデータリンク層に相当する処理を実行する。
【００５１】
ＩＰ層処理部３０３は、放送チューナー３０１又は通信インターフェース３０２の受信信号に対してＩＰ層の処理を行なう。
【００５２】
ＵＤＰ層処理部３０４は、ＩＰプロトコルを利用して放送信号１１１又は１２１で送られてくるＵＤＰデータグラムの処理を行なう。
【００５３】
制御信号処理部３０５は、ＵＤＰデータグラムで送られてくるシグナリング情報ＳＳＣ（Ｓｅｒｖｉｃｅ  Ｓｉｇｎａｌｉｎｇ  Ｃｈａｎｎｅｌ）などの制御信号の処理を行なう。本実施形態では、ＳＳＣ内に、ＳＤＰのテーブルすなわちＳＤＰＴが配置されており、制御信号処理部３０５は、このＳＤＰＴを利用してダイレクト選局処理などを行なうが、その詳細は後述に譲る。
【００５４】
ＦＬＵＴＥ処理部３０６は、ＵＤＰデータグラムで送られてくるＦＬＵＴＥ層のセッションの処理を行ない、ＥＳＧやノンリアルタイム（ＮＲＴ）ファイルを取り出す。また、ＦＬＵＴＥ処理部３０６が行なう処理には、片方向誤り訂正（Ｆｏｒｗａｒｄ  Ｅｒｒｏｒ  Ｃｏｒｒｅｃｔｉｏｎ：ＦＥＣ）が含まれる。
【００５５】
ＲＴＰ／ＲＴＣＰ処理部３０７は、ＵＤＰデータグラムで送られてくるリアルタイム・ストリームの処理を行ない、画像（Ｖ）、音声（Ａ）、字幕（ＣＣ）などの放送番組本体の各コンポーネントを取り出す。
【００５６】
ＮＴＰ（Ｎｅｔｗｏｒｋ  Ｔｉｍｅ  Ｐｒｏｔｏｃｏｌ）処理部３０８は、ＮＴＰプロトコルに基づいてＮＴＰサーバーにアクセスして、時刻情報の処理を行なう。通常、ＮＴＰサーバーからは、一定周期で時刻情報がＵＤＰパケットを用いて送信される。
【００５７】
ＴＣＰ（Ｔｒａｎｓｍｉｓｓｉｏｎ  Ｃｏｎｔｒｏｌ  Ｐｒｏｔｏｃｏｌ）層処理部３０９は、ＩＰプロトコルを利用して通信信号で送られてくるＴＣＰストリームの処理を行なう。
【００５８】
ＨＴＴＰ（Ｈｙｐｅｒ  Ｔｅｘｔ  ｔｒａｎｓｆｅｒ  Ｐｒｏｔｏｃｏｌ）処理部３１０は、ＴＣＰストリームで送られてくるＨＴＭＬなどのコンテンツの受信処理を行なう。
【００５９】
ＣＡＳ（Ｃｏｎｄｉｔｉｏｎａｌ  Ａｃｃｅｓｓ  Ｓｙｓｔｅｍ）／ＤＲＭ（Ｄｉｇｉｔａｌ  Ｒｉｇｈｔｓ  Ｍａｎａｇｅｍｅｎｔ）処理部３１１は、放送又は通信を介して受信したコンテンツの限定視聴制御や、著作権保護（複製の制限や検出など）の処理を行なう。
【００６０】
低レイヤー制御信号処理部３１２は、放送信号に対する物理層若しくはデータリンク層に限定した低レイヤー制御信号の処理を行なう。例えば、初期スキャンによるシグナリングの取得を行なう。本実施形態では、低レイヤー制御信号処理部３１２は、初期スキャン時に取得したシグナリングの情報をＮＶＲＡＭ３１３に記録するが、その詳細については後述に譲る。
【００６１】
外部出力インターフェース（Ｉ／Ｆ）３１４は、制御信号処理部３０５が処理した制御信号を外部出力する。
【００６２】
ＥＳＧ処理部３１５は、ＦＬＵＴＥ処理部３０６がＦＬＵＴＥ層のセッションから取り出したＥＳＧを用いて、番組表や番組情報の表示処理を行なう。
【００６３】
ブラウザー３１６は、ＦＬＵＴＥ処理部３０６がＦＬＵＴＥ層のセッションから取り出したノンリアルタイム・データや、ＨＴＴＰ処理部３１０が受信処理したＨＴＭＬなどのコンテンツの閲覧処理を行なう。
【００６４】
映像デコーダー３１７、音声デコーダー３１８、字幕デコーダー３１９はそれぞれ、ＲＴＰ／ＲＴＣＰ処理部３０７がリアルタイム・ストリームから取り出した画像（Ｖ）、音声（Ａ）、字幕（ＣＣ）の各コンポーネントをデコードする。そして、クロック処理部３２０は、ＮＴＰ処理部３０８が取得した時刻情報に基づいて、映像デコーダー３１７、音声デコーダー３１８、字幕デコーダー３１９による各コンポーネントのデコード処理の同期をとる。
【００６５】
記録部３２１は、ＦＬＵＴＥ処理部３０６、ＲＴＰ／ＲＴＣＰ処理部３０７、ＮＴＰ３０８、ＨＴＴＰ処理部３０９から出力される情報を適宜記録する。
【００６６】
Ｂ．初期スキャン
受信装置３００は、使用開始時などにおいて、初期スキャンを行ない、ネットワーク情報を取得する。図４には、受信装置３００が初期スキャンを行なう仕組みを模式的に示している。受信装置３００内の低レイヤー制御信号処理部３１２が、各放送局に割り当てられた放送周波数帯（物理チャンネル）毎にスキャンを実行して、ネットワーク情報、トランスポート・ストリーム情報、チャンネル情報を取得して、ＮＶＲＡＭ３１３に記録する。
【００６７】
初期スキャン時に取得するネットワーク情報４１０は、スキャンされた放送周波数帯を識別するネットワーク識別情報（ＮＩＤ）及びその物理情報（周波数など）４１１と、その放送周波数帯に含まれる各トランスポート・ストリームについてのトランスポート・ストリーム情報４２０を含んでいる。各トランスポート・ストリームはトランスポート・ストリーム識別情報（ＴＳＩＤ）を持つ。ＦＣＣなどの放送通信事業の規制監督機関は、放送周波数帯（物理チャンネル）とＴＳＩＤの割り当てを行なう。
【００６８】
また、トランスポート・ストリーム情報４２０は、そのトランスポート・ストリームで伝送するＳＳＣ２４１（図２を参照のこと）のＩＰアドレス及びポート番号と、シグナリング２１１内から取得するＥＳＧのブートストラップ（後述）と、そのトランスポート・ストリームに含まれる各放送チャンネルのチャンネル情報４３０を含んでいる。
【００６９】
チャンネル情報４３０は、その放送チャンネルのサービス識別情報（ＴＳＩＤＳｅｒｖｉｃｅＩＤ）と、チャンネル（ＣＨ）番号を含んでいる。１つのトランスポート・ストリーム内にｍａｊｏｒとｍｉｎｏｒの２種類のチャンネル番号が含まれることもある。リモコン操作などにより選局されたチャンネル番号は、サービス識別情報と一意に対応する。
【００７０】
図５には、ＮＶＲＡＭ３１３にネットワーク情報、トランスポート・ストリーム情報、チャンネル情報が記録されているイメージを示している。図示のように、サービス識別情報（ＳｅｒｖｉｃｅＩＤ）毎に、該当するネットワーク識別情報（ＮＩＤ）及びトランスポート・ストリーム識別情報（ＴＳＩＤ）と対応付けされている。したがって、リモコン操作などにより選局されたチャンネル番号に対応するＮＩＤ及びＴＳＩＤを早見することができる。
【００７１】
図６には、受信装置３００が初期スキャンを行なう処理手順をフローチャートの形式で示している。
【００７２】
ユーザーのリモコン操作などにより初期スキャンが選択されると（ステップＳ６０１のＹｅｓ）、低レイヤー制御信号処理部３１２は、放送チューナー３０１を介して、放送の周波数帯域をスキャンする（ステップＳ６０２）。
【００７３】
ここで、チャンネル情報が発見されると（ステップＳ６０３のＹｅｓ）、低レイヤー制御信号処理部３１２は、そのチャンネル情報をシグナリングから取得して、ＮＶＲＡＭ３１３に記録する（ステップＳ６０４）。
【００７４】
そして、すべての放送の周波数帯域についてスキャンが終了すると（ステップＳ６０５のＹｅｓ）、この処理ルーチン全体を終了する。また、スキャンしていない放送の周波数帯域があるときには（ステップＳ６０５のＮｏ）、ステップＳ６０２に戻って、未処理の周波数帯域について、繰り返しスキャンを実施する。
【００７５】
低レイヤー制御信号処理部３１２は、初期スキャン時に、各放送周波数帯（チャンネル）から、シグナリング２１１（図２を参照のこと）を取得する。本実施形態では、シグナリング２１１内で、ＥＳＧのブートストラップを記述するようになっている。図７には、シグナリング２１１内に格納される、ＥＳＧのブートストラップの記述子（ｂｏｏｔｓｔｒａｐ＿ｄｅｓｃｒｉｐｔｏｒ）の構文構造（ｓｙｎｔａｘ）を示している。参照番号７０１で示すｄｅｓｃｒｉｐｔｏｒ＿ｔａｇフィールドには、当該記述子のタグ情報が書き込まれる。参照番号７０２で示すｄｅｓｃｒｉｐｔｏｒ＿ｌｅｎｇｔｈフィールドには、当該記述子のデータ長が書き込まれる。参照番号７０３で示すｓｅｒｖｉｃｅ＿ｉｄフィールドには、サービス識別情報が書き込まれる。参照番号７０４で示すＩＰ＿ｖｅｒｓｉｏｎ＿ｆｌａｇは、使用するＩＰ方式のバージョン（ＩＰｖ４又はＩＰｖ６のいずれであるか）を示すフラグである。参照番号７０５で示すＳｏｕｒｃｅ＿ＩＰ＿ａｄｄｒｅｓｓは、このトランスポート・ストリームの送信元のＩＰアドレスが書き込まれる。参照番号７０６、７０７で示すｄｅｓｔｉｎａｔｉｏｎ＿ＩＰ＿ａｄｄｒｅｓｓ、ｄｅｓｔｉｎａｔｉｏｎ＿ｐｏｒｔ＿ｎｕｍには、ＥＳＧデータを伝送するＦＬＵＴＥ層のセッションのＩＰアドレス並びにポート番号がそれぞれ書き込まれる。参照番号７０８で示すＴＳＩには、ＥＳＧのトランスポート・セッション識別子（ＴＳＩ）が書き込まれる。
【００７６】
本実施形態では、低レイヤー制御信号処理部３１２は、初期スキャン時に、シグナリング２１１から取得したＥＳＧのブートストラップをＮＶＲＡＭ３１３に記録しておくようになっている。したがって、その後に受信装置３００において、ＥＳＧ表示のリクエストが行なわれた際には、その都度ブートストラップを放送信号から取得するのではなく、ＮＶＲＡＭ３１３からロードすればよいので、ＥＳＧを高速で表示することができるというメリットがある。
【００７７】
Ｃ．ダイレクト選局
本実施形態では、テレビ放送の番組表若しくは番組情報の表示形式として、ＥＳＧを採用する。ＥＳＧは、その構造が統一されたＸＭＬフォーマットであり(使用されるタグを含む)、また、放送サービスに合わせて記述できる情報が定義されており、それらの要素をサービスに合わせて選択できることから、画面サイズや処理性能の異なるさまざまな機器に対して、一元的に番組情報を提供し表示することができる。
【００７８】
ＥＳＧは、ＳＤＰやＩＰアドレスといった放送サービスに対するアクセス方法情報を含み、チャンネル選局の処理機能を備えることができる。ところが、リモコンの数字ボタンからチャンネルを直接選局する操作が行なわれた際に、ＥＳＧの処理を行なうために、選局が完了するまでの時間がかかるという問題がある。
【００７９】
そこで、本実施形態では、トランスポート・ストリームで送るＳＳＣ２４１内に、サービス識別情報毎のＳＤＰのテーブルすなわちＳＤＰＴを配置するようにしている。したがって、受信装置３００は、受信するトランスポート・ストリームに対してセクション・フィルタリング処理を行なうことにより、シグナリング情報から高速且つ容易にＳＤＰを取得すると、そのＳＤＰの記述内容に基づいて高速に選局処理（ダイレクト選局）することができるようになる。
【００８０】
図８には、ＳＳＣに配置されるＳＤＰＴの構造を模式的に示している。また、ＳＤＰＴの構文例（ｓｙｎｔａｘ）を図１５に併せて示しておく。図８に示すＳＤＰＴ８００は、バイナリーのセクション形式で表記し、そのヘッダー拡張部分には、サービス識別情報（ｓｅｒｖｉｃｅ  ｉｄ）８０１と、ＳＤＰ８０２が配置されている。サービス識別情報は放送番組のチャンネルと一意に対応する。後述するように、ＥＳＧのＳＤＰにはＳＤＰのＵＲＩが記述されるが、ＳＤＰＴ８００内のＳＤＰ８０２にも、ＳＤＰのＵＲＩが記述されている。また、ＳＤＰＴ８０１内のＳＤＰは、サービス識別情報８０１に対応する放送チャンネルの各コンポーネント（映像ストリーム、音声ストリームなど）のＩＰアドレス（ｃｏｐｍ＿ＩＰ＿ａｄｄｒｅｓｓ）、ポート番号（ｐｏｒｔ＿ｎｕｍｂｅｒ）、コンポーネントの属性情報（ｃｏｍｐ＿ａｔｔｒｉｂｕｔｅ）などを含んでいる。
【００８１】
したがって、受信装置３００は、リモコンなどにより選局操作が行なわれると、対応するトランスポート・ストリームに対してセクション・フィルタリング処理を行ない、ＳＳＣ２４１から高速且つ容易にＳＤＰを取得することが可能になる。そして、取得したＳＤＰ内に記述されているＩＰアドレス及びポート番号に基づいて所望のチャンネルのストリームにアクセスすることで、ＥＳＧの処理を行なうことなく、ダイレクトに選局処理することができる。
【００８２】
図９には、リモコンなどの選局操作に応じてダイレクト選局する仕組みを図解している。
【００８３】
参照番号９０１で示すように、リモコンなどで１０．１ＣＨの選局操作が行なわれたとする。このとき、制御信号処理部３０５は、参照番号９０２で示すように、ＮＶＲＡＭ３１３内に記録されている情報を参照すると、参照番号９０３で示すように、選局されたチャンネルに対応するサービス識別情報のネットワーク識別情報（ＮＩＤ）とトランスポート・ストリーム識別情報（ＴＳＩＤ）を取得することができる。この場合、ＮＩＤ＃０とＴＳＩＤ＃０を取得するものとする。ＦＣＣなどの放送通信事業の規制監督機関は、放送周波数帯（物理チャンネル）とＴＳＩＤの割り当てを行なう。
【００８４】
放送チューナー３０１は、参照番号９０４で示すように、ＮＩＤ＃０に対応する放送周波数帯にチューニングする。そして、ＩＰ層処理部３０３は、参照番号９０５で示すように、ＮＩＤ＃０を流れるトランスポート・ストリームＴＳＩＤ＃０を処理する。トランスポート・ストリームでは、ＳＳＣを含む複数のストリームが伝送されている。
【００８５】
本実施形態では、ＳＳＣにＳＤＰＴが配置されている。また、初期スキャンにより、トランスポート・ストリームで伝送するＳＳＣのＩＰアドレス及びポート番号があらかじめＮＶＲＡＭ３１３内に記録されている（前述並びに図４を参照のこと）。制御信号処理部３０５は、参照番号９０６で示すように、ＮＶＲＡＭ３１３から読み出したＳＳＣのＩＰアドレス及びポート番号に基づいて、トランスポート・ストリーム内のＳＳＣにアクセスする。ＳＳＣ内には、サービス識別情報毎のＳＤＰＴが配置されている。そして、参照番号９０７で示すように、制御信号処理部３０５は、サービス識別情報に基づいてセクション・フィルタリング処理を行なって、ＳＳＣから該当するＳＤＰＴを取得する。
【００８６】
ＳＤＰＴ内のＳＤＰは、サービス識別情報に対応する放送チャンネルの各コンポーネント（映像ストリーム、音声ストリームなど）のＩＰアドレス、ポート番号、属性情報（コーデック種別）を格納している（前述並びに図８を参照のこと）。したがって、ＲＴＰ／ＲＴＣＰ処理部３０７は、ＳＤＰＴ内のＳＤＰから取得したＩＰアドレスとポート番号、属性（コーデック属性）に基づいて、参照番号９０８で示すように、選局された放送チャンネル１０．１ＣＨの映像（Ｖ）、音声（Ａ）の各コンポーネントにアクセスすることができる。そして、映像デコーダー３１７、音声デコーダー３１８は、ＮＴＰ処理部３０８によって取得された時刻情報に基づいて同期をとりながら、それぞれのコンポーネントをデコードする。そして、放送番組として出力する。
【００８７】
図１０には、受信装置３００がダイレクト選局するための処理手順をフローチャートの形式で示している。また、図１１には、受信装置３００がダイレクト選局する際の内部のシグナリングのフロー、並びに、ストリーム／データのフローを図解している。
【００８８】
ユーザーがリモコンなどによりチャンネルの選択操作を行なうと（ステップＳ１００１のＹｅｓ）、制御信号処理部３０５は、選局されたチャンネルの情報として、ネットワーク識別情報及びトランスポート・ストリーム識別情報を、ＮＶＲＡＭ３１３から取得する。
【００８９】
なお、ステップＳ１００１〜Ｓ１００２の処理は、図１１中のシグナリング・フローＦ１１０１に相当する。
【００９０】
放送チューナー３０１は、該当するチャンネルが送られてくる放送波の周波数帯に合わせる（ステップＳ１００３）。そして、ＩＰ層処理部３０３は、その周波数帯を流れるトランスポート・ストリームを処理する。
【００９１】
制御信号処理部３０５は、ＮＶＲＡＭ３１３から読み出したＳＳＣのＩＰアドレス及びポート番号に基づいて、トランスポート・ストリーム内のＳＳＣにアクセスすると、ＳＤＰＴを取得する（ステップＳ１００４）。そして、ＳＤＰＴのサービス識別情報が選択されたチャンネルのサービス識別情報と一致するかどうかをチェックする（ステップＳ１００５）。一致しなければ（ステップ１００５のＮｏ）、ステップＳ１００４に戻り、ＳＤＰＴの取得を繰り返す。
【００９２】
サービス識別情報が一致するＳＤＰＴは、選局されたチャンネルのＳＤＰＴである（ステップＳ１００６）。そして、制御信号処理部３０５は、取得したＳＤＰＴから、選局されたチャンネルのストリーム情報、すなわち各コンポーネント（映像ストリーム、音声ストリームなど）のＩＰアドレス、ポート番号、属性情報（コーデック種別）を取得することができる（ステップＳ１００７）。
【００９３】
なお、ステップＳ１００３〜Ｓ１００７の処理は、図１１中のシグナリング・フローＦ１１０２に相当する。
【００９４】
ＲＴＰ／ＲＴＣＰ処理部３０７は、取得したストリーム情報に基づいて、各コンポーネントのストリームに接続する。また、ＮＴＰ処理部３０８は、ＮＴＰサーバーから一定周期で送信されるＵＤＰパケットを受信して、時刻情報の処理を行なう（ステップＳ１００８）。
【００９５】
そして、ＲＴＰ／ＲＴＣＰ処理部３０７は、接続した映像ストリーム、音声ストリームを受信処理する（ステップＳ１００９）。映像デコーダー３１７、音声デコーダー３１８は、ＮＴＰ処理部３０８によって取得された時刻情報に基づいて同期をとりながら、受信した映像ストリーム、音声ストリームのデコードをそれぞれ行なう（ステップＳ１０１０）。視聴が終了するまで（ステップＳ１０１１のＮｏ）、ストリームの受信（ステップＳ１００９）とデコード処理（ステップＳ１０１０）が繰り返し行なわれる。
【００９６】
なお、ステップＳ１００８〜Ｓ１０１１の処理は、図１１中のシグナリング並びにストリーム／データ・フローＦ１１０３に相当する。
【００９７】
放送局から送出するトランスポート・ストリームで送るシグナリング情報ＳＳＣ内にＳＤＰＴを配置することにより、図１２〜図１３に示したように、受信装置３００は、セクション・フィルタリング処理により所望のＳＤＰＴを取得して、ＥＳＧの処理を行なうことなく、高速且つ容易に選局処理を行なうことができる。また、ＳＳＣ内にＳＤＰＴを配置する方法は、従来のテレビ受信機アーキテクチャーとも親和性が高い。したがって、過去の資産を流用できることから、実装の負担が軽減される。
【００９８】
Ｄ．ＥＳＧからのチャンネル選局
本実施形態では、テレビ放送の番組表若しくは番組情報の表示形式として、ＥＳＧを採用する。ＥＳＧは、その構造が統一されたＸＭＬフォーマットであり(使用されるタグを含む)、また、放送サービスに合わせて記述できる情報が定義されており、それらの要素をサービスに合わせて選択できることから、画面サイズや処理性能の異なるさまざまな機器に対して、一元的に番組情報を提供し表示することができる。
【００９９】
ＥＳＧは、ＳＤＰやＩＰアドレスといった放送サービスに対するアクセス方法情報を含み、チャンネル選局の処理機能を備えることができる。ところが、ＥＳＧの表示を行なうには、一般的に、放送信号からＥＳＧのブートストラップを発見してＦＬＵＴＥセッションのＩＰアドレスを確認し、ブートストラップ・セッションでＥＳＧプロバイダー・ディスカバリー・ディスクリプター又はＥＳＧアクセス・ディスクリプターから伝送されるＥＳＧの基本情報を取得して、ＥＳＧを選択するという複雑な手順が必要であり、処理に時間がかかる。
【０１００】
そこで、本実施形態では、放送信号中の初期スキャンで取得するシグナリング内でＥＳＧのブートストラップを記述するようにしている。また、受信装置３００は、初期スキャン時にシグナリングから取得したブートストラップを、ＮＶＲＡＭ３１３内に記録しておくようにしている（前述並びに図４を参照のこと）。したがって、受信装置３００は、ＥＳＧ表示のリクエストが行なわれた際には、その都度ブートストラップを放送信号から取得するのではなく、ＮＶＲＡＭからロードすればよいので、ＥＳＧを高速で表示することができる。
【０１０１】
ＥＳＧは、その内部にＳＤＰを配置することにより、ＥＳＧから番組を選局することが可能である。しかしながら、ＳＳＣに配置するＳＤＰＴもＳＤＰを含むことから、二重メンテナンスを行なう必要があり、また、両者間でバージョンの相違による不整合が生じる可能性があるという問題がある。
【０１０２】
そこで、本実施形態では、ＥＳＧ内部のＳＤＰには、ＳＤＰのＵＲＩを記述するようにしている。したがって、受信装置３００において、ＥＳＧの番組表からチャンネルを選局したことにより、ＥＳＧからＳＤＰを参照する場合には、選局したチャンネルに対応するサービス識別情報とＳＤＰのＵＲＩを基に、ＳＳＣから該当するＳＤＰＴを特定して、ＳＤＰを取得する。そして、そのＳＤＰに記載されているＩＰアドレスとポート番号、属性（コーデック属性）に基づいて、選局したチャンネルの各コンポーネントにアクセスすることができる。ＳＤＰの一例を、図１６に示しておく。
【０１０３】
このようなチャンネル選局方法によれば、ＥＳＧ中にＳＤＰを記載する必要がなくなり、ＳＤＰＴとＳＤＰとの不整合を防ぐことができる。また、ＳＤＰをＵＲＩで表記することにより、インターネット上のサーバーなどを指定することも可能となるので、サービスの運用の幅が拡がる。
【０１０４】
図１２には、受信装置３００においてＥＳＧからチャンネル選局する仕組みを図解している。
【０１０５】
参照番号１２０１で示すように、リモコンなどでＥＳＧ表示が指示されたとする。ＥＳＧのブートストラップは、ＥＳＧデータを伝送するＦＬＵＴＥ層のセッションのＩＰアドレス並びにポート番号（ｄｅｓｔｉｎａｔｉｏｎ＿ＩＰ＿ａｄｄｒｅｓｓ、ｄｅｓｔｉｎａｔｉｏｎ＿ｐｏｒｔ＿ｎｕｍ）が記述されている。
【０１０６】
制御信号処理部３０５は、ＮＶＲＡＭ３１３に記録されているブートストラップ情報から、ＩＰアドレス並びにポート番号の情報を取得すると、ＥＳＧが伝送されているＦＬＵＴＥ層のセッションにアクセスして、参照番号１２０２で示すように、まずＦＤＴ（Ｆｉｌｅ  Ｄｅｒｉｖｅｒｙ  Ｔａｂｌｅ）を参照する。ＦＬＵＴＥ層のセッションを伝送するファイルなどの各オブジェクトはそれぞれ固有のオブジェクト識別情報ＴＯＩ（Ｔｒａｎｓｍｉｓｓｉｏｎ  Ｏｂｊｅｃｔ  Ｉｄｅｎｔｉｆｉｅｒ）を持つが、ＦＤＴのＴＯＩは０に固定されているので、セッション内でＴＯＩ＝０のオブジェクトを検索することで、ＦＤＴを取得することができる。
【０１０７】
ＦＤＴには、同じセッションで伝送されている各ファイルにそれぞれ対応するインデックス情報が格納されている。インデックス情報には、ファイルのＴＯＩ、ファイル名、ファイル・タイプ（Ｃｏｎｔｅｎｔ  ｔｙｐｅ）、位置情報（Ｃｏｎｔｅｎｔ  ｌｏｃａｔｉｏｎ）が含まれる。
【０１０８】
制御信号処理部３０５は、参照番号１２０３で示すように、ＦＤＴ内からＥＳＧのインデックス情報を見つけて、ＥＳＧを取得する。ＥＳＧ−ＳＧＤＵ（Ｓｅｒｖｉｃｅ  Ｇｕｉｄｅ  Ｄｅｒｉｖｅｒｙ  Ｕｎｉｔ）は、ＥＳＧの構成に必要なフラグメントを収納するコンテナである。ＥＳＧ−ＳＧＤＤ（Ｓｅｒｖｉｃｅ  Ｇｕｉｄｅ  Ｄｅｌｉｖｅｒｙ  Ｄｅｓｃｒｉｐｔｏｒ）は、ＳＧＤＵが位置する伝送セッション情報を通知する。また、ＥＳＧ−ＳＧＤＤは、ＳＧＤＵに対するグルーピング情報及び通知メッセージを受信するためのエントリー・ポイントに関する情報ｄｅｓｃｒｉｐｔｏｒ  ｅｎｔｒｙを通知する。そして、参照番号１２０４で示すように、ＥＳＧ処理部３１５は、取得したＥＳＧを表示する。
【０１０９】
参照番号１２０５で示すように、リモコンなどでＥＳＧ表示上からチャンネル（例えば、１０．１ＣＨ）の選局操作が行なわれると、ＥＳＧ処理部３１５は、ＥＳＧ−ＳＧＤＵ中の該当するフラグメント（ｆｒａｇｍｅｎｔ  ＳＤＰ）から、ＳＤＰ  ＵＲＩを取得する。
【０１１０】
また、本実施形態では、初期スキャンにより、トランスポート・ストリームで伝送するＳＳＣのＩＰアドレス及びポート番号があらかじめＮＶＲＡＭ３１３内に記録されている（前述並びに図４を参照のこと）。制御信号処理部３０５は、ＮＶＲＡＭ３１３から読み出したＳＳＣのＩＰアドレス及びポート番号に基づいてＳＳＣにアクセスして、参照番号１２０６で示すように、選局したチャンネルに対応するサービス識別情報に基づいてセクション・フィルタリング処理を行なって、該当するＳＤＰＴを取得する。制御信号処理部３０５は、ＳＳＣで周期的に転送されるＳＤＰＴの最新版をキャッシュしておくようにしてもよい。
【０１１１】
そして、制御信号処理部３０５は、参照番号１２０７で示すように、ＥＳＧ−ＳＧＤＵ中から取得したＳＤＰ  ＵＲＩに対応するＳＤＰを、ＳＤＰＴ中から選択する。
【０１１２】
ＳＤＰは、サービス識別情報に対応する放送チャンネルの各コンポーネント（映像ストリーム、音声ストリームなど）のＩＰアドレス、ポート番号、属性情報（コーデック種別）を格納している（前述並びに図８を参照のこと）。したがって、ＲＴＰ／ＲＴＣＰ処理部３０７は、ＳＤＰＴ内のＳＤＰから取得したＩＰアドレスとポート番号、属性（コーデック属性）に基づいて、参照番号１２０８で示すように、選局された放送チャンネル１０．１ＣＨの映像（Ｖ）、音声（Ａ）の各コンポーネントのストリームにアクセスすることができる。そして、映像デコーダー３１７、音声デコーダー３１８は、ＮＴＰ処理部３０８によって取得された時刻情報に基づいて同期をとりながら、それぞれのコンポーネントをデコードする。そして、放送番組として出力する。
【０１１３】
図１３には、受信装置３００がＥＳＧからチャンネル選局するための処理手順をフローチャートの形式で示している。また、図１４には、受信装置３００がＥＳＧからチャンネル選局する際の内部のシグナリングのフロー、並びに、ストリーム／データのフローを図解している。
【０１１４】
リモコンなどでＥＳＧ表示が指示されると（ステップＳ１３０１のＹｅｓ）、制御信号処理部３０５は、ＮＶＲＡＭ３１３からブートストラップ情報を取得する（ステップＳ１３０２）。
【０１１５】
なお、ステップＳ１３０１〜Ｓ１３０２の処理は、図１４中のシグナリング・フローＦ１４０１に相当する。
【０１１６】
次いで、ＦＬＵＴＥ処理部３０６は、ブートストラップ情報に記載されているＩＰアドレス並びにポート番号の情報に基づいて、ＥＳＧが伝送されているＦＬＵＴＥ層のセッションに接続して、ＦＤＴを取得する（ステップＳ１３０３）。そして、ＦＬＵＴＥ処理部３０６は、ＦＤＴ内からＥＳＧのインデックス情報を見つけてＥＳＧを取得し、ＥＳＧ処理部３１５はＥＳＧを表示する（ステップＳ１３０４）。
【０１１７】
なお、ステップＳ１３０３〜Ｓ１３０４の処理は、図１４中のストリーム／データ・フローＦ１４０２に相当する。
【０１１８】
リモコンなどでＥＳＧ表示上からチャンネルの選局操作が行なわれると（ステップＳ１３０５のＹｅｓ）、ＥＳＧ処理部３１５は、選択されたチャンネルに対応するＳＤＰのＵＲＩを、ＥＳＧから取得する（ステップＳ１３０６）。
【０１１９】
なお、ステップＳ１３０５〜Ｓ１３０６の処理は、図１４中のストリーム／データ・フローＦ１４０３に相当する。
【０１２０】
次いで、制御信号処理部３０５は、ＮＶＲＡＭ３１３に記録されているＳＳＣのＩＰアドレス及びポート番号に基づいてＳＳＣにアクセスして、ＳＤＰＴを取得する（ステップＳ１３０７）。そして、ＳＤＰＴのサービス識別情報が選択されたチャンネルのサービス識別情報と一致するかどうかをチェックする（ステップＳ１３０８）。一致しなければ（ステップ１３０８のＮｏ）、ステップＳ１３０７に戻り、ＳＤＰＴの取得を繰り返す。
【０１２１】
サービス識別情報が一致するＳＤＰＴは、選局されたチャンネルのＳＤＰＴである（ステップＳ１３０９）。そして、制御信号処理部３０５は、取得したＳＤＰＴから、選局されたチャンネルのストリーム情報、すなわち各コンポーネント（映像ストリーム、音声ストリームなど）のＩＰアドレス、ポート番号、属性情報（コーデック種別）を取得する（ステップＳ１３１０）。
【０１２２】
なお、ステップＳ１３０７〜Ｓ１３１０の処理は、図１４中のストリーム／データ・フローＦ１４０４に相当する。
【０１２３】
ＲＴＰ／ＲＴＣＰ処理部３０７は、取得したストリーム情報に基づいて、各コンポーネントのストリームに接続する。また、ＮＴＰ処理部３０８は、ＮＴＰサーバーに接続して、正しい時刻への同期を行なう（ステップＳ１３１１）。
【０１２４】
そして、ＲＴＰ／ＲＴＣＰ処理部３０７は、接続した映像ストリーム、音声ストリームを受信処理する（ステップＳ１３１２）。映像デコーダー３１７、音声デコーダー３１８は、ＮＴＰ処理部３０８によって取得された時刻情報に基づいて同期をとりながら、受信した映像ストリーム、音声ストリームのデコードをそれぞれ行なう（ステップＳ１３１３）。視聴が終了するまで（ステップＳ１３１４のＮｏ）、ストリームの受信（ステップＳ１３１２）とデコード処理（ステップＳ１３１３）が繰り返し行なわれる。
【０１２５】
なお、ステップＳ１３１１〜Ｓ１３１４の処理は、図１１中のシグナリング並びにストリーム／データ・フローＦ１４０５に相当する。
【０１２６】
図１３に示す処理手順によれば、ＥＳＧ表示のリクエストが行なわれる都度ブートストラップを放送信号から取得する場合と比べると、ＥＳＧを高速で表示することができる。また、ＥＳＧ内部のＳＤＰにはＳＤＰのＵＲＩを記述し、ＥＳＧからＳＤＰを参照する場合には、該当するＳＤＰＴからＳＤＰを取得するので二重メンテナンスする必要がなく、また、ＳＤＴとＳＤＰＴの間で不整合が生じることはない。
【先行技術文献】
【特許文献】
【０１２７】
【特許文献１】特開２０１０−６２９７７号公報
【特許文献２】特開２０１２−９９９６０号公報
【産業上の利用可能性】
【０１２８】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１２９】
本明細書で開示する技術は、例えば、アメリカ合衆国などで採用されている放送規格ＡＴＳＣに基づく放送システムに本明細書で開示する技術を適用することができるが、適用範囲はこれに限定されるものではない。トランスポート・ストリームにＩＰ方式を採用するその他の放送規格や、テレビ放送の番組表若しくは番組情報の表示形式にＥＳＧを利用するその他の放送規格に基づく、さまざまな放送システムに、同様に本明細書で開示する技術を適用することができる。
【０１３０】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【０１３１】
なお、本明細書の開示の技術は、以下のような構成をとることも可能である。
（１）トランスポート層にＩＰ（Ｉｎｔｅｒｎｅｔ  Ｐｒｏｔｏｃｏｌ）方式を適用し、トランスポート・ストリームで送るＳＳＣ（Ｓｅｒｖｉｃｅ  Ｓｉｇｎａｌｉｎｇ  Ｃｈａｎｎｅｌ）にＳＤＰ（Ｓｅｒｖｉｃｅ  Ｄｅｓｃｒｉｐｔｉｏｎ  Ｐｒｏｔｏｃｏｌ）のテーブル（ＳＤＰＴ）を配置した放送信号を送信する、
送信装置。
（２）ＳＤＰＴをセクション形式で表記し、そのヘッダー拡張部分にサービス識別情報及びＳＤＰを配置する、
上記（１）に記載の送信装置。
（３）ＳＤＰＴに配置するＳＤＰに、サービス識別情報に対応する放送チャンネルの各コンポーネントのＩＰアドレス、ポート番号、コンポーネントの属性情報を含める、
上記（１）に記載の送信装置。
（４）ＥＳＧ（Ｅｌｅｃｔｒｏｎｉｃ  Ｓｅｒｖｉｃｅ  Ｇｕｉｄｅ）を用いて放送の番組表若しくは番組情報の表示形式を送信する、
上記（１）に記載の送信装置。
（５）ＥＳＧ内部にＳＤＰのＵＲＩを記述するとともに、ＳＳＣとして伝送するＳＤＰＴにもＳＤＰのＵＲＩを記述する、
上記（４）に記載の送信装置。
（６）受信側が初期スキャンで取得するシグナリング内にＥＳＧのブートストラップを記述する、
上記（１）に記載の送信装置。
（７）トランスポート層にＩＰ方式を適用し、トランスポート・ストリームで送るＳＳＣにＳＤＰＴを配置した放送信号を送信する、
送信方法。
（８）トランスポート層にＩＰ方式を適用した放送信号を受信する受信装置であって、
放送信号に含まれる制御信号を処理する制御信号処理部と、
放送番組の各コンポーネントのストリームを処理するストリーム処理部と、
を具備し、
前記制御信号処理部は、受信するトランスポート・ストリームに対してセクション・フィルタリング処理を行なって、ＳＳＣから所望のＳＤＰＴを取得し、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理する、
受信装置。
（９）放送信号の低レイヤーの処理を行なう低レイヤー制御信号処理部と、データを記録する記録部をさらに備え、
前記低レイヤー制御信号処理部は、初期スキャンして、ＥＳＧのブートストラップを含むシグナリングを取得して前記記録部に記録する、
上記（８）に記載の受信装置。
（１０）ＥＳＧを処理するＥＳＧ処理部をさらに備え、
ＥＳＧの表示を行なう際に、前記制御信号処理部は、前記記録部に記録されたシグナリングからＥＳＧのブートストラップを取得し、前記ＥＳＧ処理部はブートストラップに基づいてＥＳＧのファイルを取得する、
上記（９）に記載の受信装置。
（１１）前記制御信号処理部は、ＥＳＧからＳＤＰを参照する場合に、ＥＳＧ内部に記述されたＳＤＰのＵＲＩに基づいてＳＳＣ中から該当するＳＤＰＴを特定し、そのＳＤＰＴ内からＳＤＰを取得する、
上記（１０）に記載の受信装置。
（１２）トランスポート層にＩＰ方式を適用した放送信号を受信する受信方法であって、
受信するトランスポート・ストリームに対してセクション・フィルタリング処理を行なって、ＳＳＣから所望のＳＤＰＴを取得するステップ、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理するステップと、
を有する受信方法。
（１３）トランスポート層にＩＰ方式を適用した放送信号を受信する受信装置としてコンピューターを機能させるようにコンピューター可読形式で記述されたコンピューター・プログラムであって、前記コンピューターを
放送信号に含まれる制御信号を処理する制御信号処理部、
放送番組の各コンポーネントのストリームを処理するストリーム処理部、
として機能させ、
前記制御信号処理部は、受信するトランスポート・ストリームに対してセクション・フィルタリング処理を行なって、ＳＳＣから所望のＳＤＰＴを取得し、
前記ストリーム処理部は、前記取得したＳＤＰＴのヘッダー拡張部分に格納されたＳＤＰ内に記述されているＩＰアドレス及びポート番号に基づいて、所望のチャンネルのストリームを処理する、
コンピューター・プログラム。
【符号の説明】
【０１３２】
１００…ディジタル放送システム
１１０…ディジタル・テレビ放送サービス
１２０…携帯端末向け放送サービス
１３０…テレビ受像機、１３１…記録装置、１４０…携帯電話
１５０…ストリーミング・サーバー、１６０…アプリケーション・サーバー
１７０…インターネット、１８０…ＬＡＮ
１８１…エッジ・ルーター、１８２…ＯＮＵ
３０１…放送チューナー、３０２…通信インターフェース
３０３…ＩＰ層処理部、３０４…ＵＤＰ層処理部、３０５…制御信号処理部
３０６…ＦＬＵＴＥ処理部、３０７…ＲＴＰ／ＲＴＣＰ処理部
３０８…ＮＴＰ処理部、３０９…ＴＣＰ層処理部、３１０…ＨＴＴＰ処理部
３１１…ＣＡＳ／ＤＲＭ処理部、３１２…低レイヤー制御信号処理部
３１３…ＮＶＲＡＭ、３１４…外部出力インターフェース
３１５…ＥＳＧ処理部、３１６…ブラウザー、３１７…映像デコーダー
３１８…音声デコーダー、３１９…字幕デコーダー
３２０…クロック処理部、３２１…記憶部
【図２】
2015073197.tif 000003
【図３】
2015073197.tif 000004
【図４】
2015073197.tif 000005
【図５】
2015073197.tif 000006
【図６】
2015073197.tif 000007
【図８】
2015073197.tif 000008
【図１０】
2015073197.tif 000009
【図１３】
2015073197.tif 000010
【図１６】
2015073197.tif 000011
【図１】
2015073197.tif 000012
【図７】
2015073197.tif 000013
【図９】
2015073197.tif 000014
【図１１】
2015073197.tif 000015
【図１２】
2015073197.tif 000016
【図１４】
2015073197.tif 000017
【図１５】
2015073197.tif 000018